(57)【特許請求の範囲】
【請求項１】
異周波数／異種システムセル再選択の測定開始方法であって、
ＵＥは、現在のサービングセルの信号品質値を複数回取得し、Ｌ個の信号品質値を記憶するまで、隣接異周波数／異種システムセル測定開始閾値以下の信号品質値を記憶するステップと、
ＵＥは、記憶されたＬ個の前記信号品質値に基づいて、信号品質平均値を算出し、前記信号品質平均値が信号品質基準閾値より大きい場合、隣接異周波数／異種システムセルに対する測定を開始するステップとを含む方法。
【請求項２】
ＵＥが現在のサービングセルの信号品質値を取得することは、
ＵＥがＵＥ自身の受信パワー品質値を測定することと、
ＵＥが前記受信パワー品質値に基づいて前記現在のサービングセルの信号品質値を算出することと、を含むことを特徴とする、
請求項１に記載の隣接異周波数／異種システムセル再選択の測定開始方法。
【請求項３】
ＵＥが現在のサービングセルの信号品質値を複数回取得する前に、前記方法は、ＵＥがネットワーク側によって送信されたシステム放送メッセージを通じて隣接異周波数／異種システムセル測定閾値と信号品質基準閾値を取得するステップをさらに含むことを特徴とする、
請求項１に記載の隣接異周波数／異種システムセル再選択の測定開始方法。
【請求項４】
ＵＥが測定結果に応じてサービングセルを再選択するステップをさらに含むことを特徴とする、
請求項１〜３のいずれか１項に記載の隣接異周波数／異種システムセル再選択の測定開始方法。
【請求項５】
現在のサービングセルの信号品質値を複数回取得し、Ｌ個の信号品質値を記憶するまで、隣接異周波数／異種システムセル測定開始閾値以下の信号品質値を記憶するように配置されている処理モジュールと、
記憶されたＬ個の前記信号品質値に基づいて、信号品質平均値を算出し、前記信号品質平均値が信号品質基準閾値より大きい場合、隣接異周波数／異種システムセルに対する測定を開始するように配置されている制御モジュールと、を含むＵＥ。
【請求項６】
前記制御モジュールは、さらに、測定結果に応じて、ＵＥがサービングセルを再選択することを制御するように配置されていることを特徴とする、
請求項５に記載のＵＥ。
【請求項７】
前記処理モジュールは、
現在のサービングセルの信号品質値を取得し、Ｌ個の信号品質値が記憶されているかどうかを判断するように配置されている取得サブモジュールと、
隣接異周波数／異種システムセル測定開始閾値と信号品質基準閾値を記憶し、前記隣接異周波数／異種システムセル測定開始閾値以下の前記信号品質値を記憶するように配置されている記憶サブモジュールとを含むことを特徴とする、
請求項５または６に記載のＵＥ。
【請求項８】
前記制御モジュールは、
記憶されたＬ個の信号品質値に基づいて、信号品質平均値を算出し、前記信号品質平均値と前記信号品質基準閾値を比較するように配置されている比較サブモジュールと、
前記信号品質平均値が前記信号品質基準閾値より大きい場合、隣接異周波数／異種システムセルに対する測定を開始するように配置されているセル測定起動サブモジュールと、
を含むことを特徴とする、
請求項７に記載のＵＥ。
【請求項９】
前記制御モジュールは、測定結果に応じてサービングセルを再選択するように配置されているセル再選択サブモジュールをさらに含むことを特徴とする、
請求項８に記載のＵＥ。
【請求項１０】
前記処理モジュールは、さらに、隣接異周波数／異種システムセル測定開始閾値と信号品質基準閾値を取得するように配置されていることを特徴とする、
請求項５または６に記載のＵＥ。
【発明の詳細な説明】
【技術分野】
【０００１】
本発明は、セル再選択測定技術に関し、具体的に異周波数／異種システムセル再選択の測定開始方法及びユーザ端末（ＵＥ：Ｕｓｅｒ Ｅｑｕｉｐｍｅｎｔ）に関する。
【背景技術】
【０００２】
第三世代パートナーシップ機関（３ＧＰＰ：Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）は、進化したグローバルモバイル通信システム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）コアネットワークに基づく３Ｇ標準を推進することを目的とし、３ＧＰＰが３Ｇシステムの異なるデータサービスに対応するプロトコル仕様を制定している。その中、基地局により指定されたサービスエリアをセルと呼ぶことが規定されている。モバイルユーザの地理位置が常に変化するに伴い、モバイルユーザより利用されるＵＥは、現在のサービングセルからターゲットサービングセルに移動する。ＵＥがサービングセルに対するこのような選択は、セル再選択と呼ばれ、セル再選択の目的は、通話の品質を保証するために、ＵＥを理想的なサービングセルに駐留させることにある。
【０００３】
通常、セル再選択を行う前に、ＵＥは、まず現在のサービングセルの信号品質値Ｓｒｘｌｅｖを測定し、次にこの信号品質値Ｓｒｘｌｅｖと隣接セル測定開始閾値Ｓｉｎｔｒａｓｅａｒｃｈ／Ｓｎｏｎ＿ｉｎｔｒａｓｅａｒｃｈに応じて隣接セルの測定を開始するかどうかを決定する必要がある。その中、ＵＥが隣接セルに対する測定を開始することは、ＵＥが隣接同一周波数セル測定、隣接異周波数／異種システムセル測定を開始することを含む。隣接同一周波数セルに対する測定には、信号品質値Ｓｒｘｌｅｖと隣接同一周波数セル測定開始閾値Ｓｉｎｔｒａｓｅａｒｃｈを比較する必要がある。隣接異周波数セルに対する測定と隣接異種システムセルに対する測定には、信号品質値Ｓｒｘｌｅｖと隣接異周波数／異種システムセル測定開始閾値Ｓｎｏｎ＿ｉｎｔｒａｓｅａｒｃｈを比較する必要がある。ＵＥが隣接同一周波数セル測定を開始する技術が既にかなり成熟しているので、ＵＥが隣接異周波数／異種システムセルに対する測定を開始することは、現在の研究重点となった。
【０００４】
従来技術において、現在のサービングセルの信号品質値Ｓｒｘｌｅｖが隣接異周波数／異種システムセル測定開始閾値Ｓｎｏｎ＿ｉｎｔｒａｓｅａｒｃｈ以下の場合、ＵＥが隣接異周波数／異種システムセルの測定を開始することが存在する。その中、前記信号品質値Ｓｒｘｌｅｖは、式（１）、式（２）で算出される。
【０００５】
Ｓｒｘｌｅｖ＝Ｑｒｘｌｅｖｍｅａｓ−Ｑｒｘｌｅｖｍｉｎ−Ｐｃｏｍｐｅｎｓａｔｉｏｎ（１）    
Ｐｃｏｍｐｅｎｓａｔｉｏｎ＝ＭＡＸ（ＵＥ＿ＴＸＰＷＲ＿ＭＡＸ＿ＲＡＣＨ−Ｐ＿ＭＡＸ,０）（２）
【０００６】
ここで、Ｑｒｘｌｅｖｍｅａｓは、ＵＥにより測定された現在のサービングセルの受信パワー品質値を示す。Ｑｒｘｌｅｖｍｉｎは、現在のサービングセルに要求されるＵＥの最小受信パワー品質値を示し、この値がシステム放送メッセージを通じてＵＥに伝送される。Ｐ＿ＭＡＸは、ＵＥの最大送信パワー値を示す。ＵＥ＿ＴＸＰＷＲ＿ＭＡＸ＿ＲＡＣＨは、ランダムアクセスチャネル（ＲＡＣＨ：Ｒａｎｄｏｍ  Ａｃｅｓｓ  Ｃｈａｎｎｅｌ）におけるＵＥの最大許容送信電力値を示す。Ｐｃｏｍｐｅｎｓａｔｉｏｎは、ＵＥが現在のサービングセルの所属する基地局のＲＡＣＨにアクセスする時に必要なパワー補償品質値を示し、その値がＵＥ＿ＴＸＰＷＲ＿ＭＡＸ＿ＲＡＣＨ−Ｐ＿ＭＡＸと０の間の最大値を取り、この値がシステム放送メッセージを通じてＵＥに伝送される。
【０００７】
このようなＳｒｘｌｅｖとＳｎｏｎ＿ｉｎｔｒａｓｅａｒｃｈの値を比較することでＵＥが隣接異周波数／異種システムセル測定を開始するかどうかを確定する方法において、ＵＥが隣接異周波数／異種システムセル測定を開始する条件は、Ｓｒｘｌｅｖ≦Ｓｎｏｎ＿ｉｎｔｒａｓｅａｒｃｈであって、条件が単一であり、言うまでもなくＳｎｏｎ＿ｉｎｔｒａｓｅａｒｃｈの値が唯一でなく、通信環境の変化に伴って変化する。Ｓｎｏｎ＿ｉｎｔｒａｓｅａｒｃｈの値が大きいと、実際に隣接異周波数／異種システムセル測定を開始する必要がないいくつかのＵＥが隣接異周波数／異種システムセル測定を開始してしまい、このようにすると、ＵＥ電気量が不要な無駄となる。
【０００８】
上記のＵＥが隣接異周波数／異種システムセル測定を開始する条件と異なり、中国特許出願２００５１０１２００５２の「モバイル通信端末におけるセル選択装置及びその方法」に、ＵＥが現在のサービングセルの所属する基地局からのメッセージのエラー率を測定し、測定されたエラー率が予めＵＥに記憶された基準値より大きいとサービングセルの選択を実行するセル選択方法が開示され、この技術的スキームは、無線伝播チャネルがリアルタイムに変化する状況を考慮したが、ネットワークにおける無線伝播環境がほぼ変化しない状況、ＵＥが変位しないまたは小さく変位する状況を考慮していない。
【０００９】
実際の応用において、ＵＥが変位しないまたは小さく変位する状況がよく発生し、例えば、モバイルユーザがオフィスや自宅のような比較的に小さいスペースでよく活動する。しかし、ＵＥが変位しないまたは小さく変位しても、ＵＥが相変わらず隣接異周波数／異種システムに対する測定を開始してしまい、モバイルユーザが常に自分の使用するＵＥが信号品質の最もよい理想的なサービングセルに駐留することを望むためである。しかしながら、ＵＥが変位しないまたは小さく変位することは、現在のサービングセルがこのＵＥの信号品質が最もよいセルであることを示し、この場合、ＵＥは、相変わらず隣接異周波数／異種システムセル信号品質に対する検索と測定を開始するが、これは、明らかに意味がなく、ＵＥの電気量を浪費するだけでなく、モバイルユーザにもっと多くの放射を与える。
【発明の概要】
【発明が解決しようとする課題】
【００１０】
これを鑑みて、本発明の実施形態の主な目的は、従来技術においてＵＥが変位しないまたは少し変位した場合でも、相変わらず隣接異周波数／異種システムセルに対する測定を頻繁に開始する問題を解決して、ＵＥの電気量を節約でき、モバイルユーザへのＵＥの放射を低減できる、異周波数／異種システムセル再選択の測定開始方法及びＵＥを提供することにある。
【課題を解決するための手段】
【００１１】
上記目的を実現するために、本発明の実施形態の技術的なスキームは、次のように実現される。
本発明の実施形態に係る異周波数／異種システムセル再選択の測定開始方法は、
ＵＥは、現在のサービングセルの信号品質値を複数回取得し、Ｌ個の信号品質値を記憶するまで、隣接異周波数／異種システムセル測定開始閾値以下の信号品質値を記憶するステップと、
ＵＥは、記憶されたＬ個の前記信号品質値に基づいて、信号品質平均値を算出し、前記信号品質平均値が信号品質基準閾値より大きい場合、隣接異周波数／異種システムセルに対する測定を開始するステップとを含む。
上記スキームにおいて、ＵＥが現在のサービングセルの信号品質値を取得することは、
ＵＥがＵＥ自身の受信パワー品質値を測定することと、
ＵＥが前記受信パワー品質値に基づいて前記現在のサービングセルの信号品質値を算出することとを含む。
【００１２】
上記スキームにおいて、ＵＥが現在のサービングセルの信号品質値を複数回取得する前に、前記方法は、ＵＥがネットワーク側によって送信されたシステム放送メッセージを通じて隣接異周波数／異種システムセル測定開始閾値と信号品質基準閾値を取得するステップをさらに含む。 
【００１３】
上記スキームにおいて、前記方法は、ＵＥが測定結果に応じてサービングセルを再選択するステップをさらに含む。
【００１４】
本発明の実施形態に係るＵＥは、
現在のサービングセルの信号品質値を複数回取得し、Ｌ個の信号品質値を記憶するまで、隣接異周波数／異種システムセル測定開始閾値以下の信号品質値を記憶するように配置されている処理モジュールと、
記憶されたＬ個の前記信号品質値に基づいて、信号品質平均値を算出し、前記信号品質平均値が信号品質基準閾値より大きい場合、隣接異周波数／異種システムセルに対する測定を開始するように配置されている制御モジュールと、を含む。 
【００１５】
上記スキームにおいて、前記制御モジュールは、測定結果に応じて、ＵＥがサービングセルを再選択することを制御するように配置されている。
上記スキームにおいて、前記処理モジュールは、
現在のサービングセルの信号品質値を取得し、Ｌ個の信号品質値が記憶されているかどうかを判断するように配置されている取得サブモジュールと、
隣接異周波数／異種システムセル測定開始閾値と信号品質基準閾値を記憶し、前記隣接異周波数／異種システムセル測定開始閾値以下の前記信号品質値を記憶するように配置されている記憶サブモジュールとを含む。
【００１６】
上記スキームにおいて、前記制御モジュールは、
記憶されたＬ個の信号品質値に基づいて、信号品質平均値を算出し、前記信号品質平均値と前記信号品質基準閾値を比較するように配置されている比較サブモジュールと、
前記信号品質平均値が前記信号品質基準閾値より大きい場合、隣接異周波数／異種システムセルに対する測定を開始するように配置されているセル測定起動サブモジュールとを含む。
【００１７】
上記スキームにおいて、前記制御モジュールは、測定結果に応じてサービングセルの再選択を行うように配置されているセル再選択サブモジュールをさらに含む。
【００１８】
上記スキームにおいて、前記処理モジュールは、さらに、隣接異周波数／異種システムセル測定開始閾値と信号品質基準閾値を取得するように配置されている。
【００１９】
本発明の実施形態に係る異周波数／異種システムセル再選択の測定開始方法及びＵＥでは、現在のサービングセルの信号品質値を複数回取得し、Ｌ個の信号品質値を取得するまで、異周波数／異種システムセル測定開始閾値以下の信号品質値を記憶し、取得されたＬ個の前記信号品質値に基づいて、信号品質平均値を算出し、前記信号品質平均値が信号品質基準閾値より大きい場合、ＵＥが異周波数／異種システムセルに対する測定を開始する。本発明の実施形態は、ＵＥが隣接異周波数／異種システムセル測定を開始する条件を増加させ、ＵＥが異周波数／異種システムセルに対する測定と検索を開始する頻度を下げ、ＵＥの電気消耗量を低減させ、特に、品質の悪いサービングセルに存在し且つ切り替え可能がありかつ適切なセルがないＵＥのエンデュランスを保証できる。そして、本発明の実施形態は、現在のサービングセル信号品質値の変化量だけで、隣接異周波数／異種システムセルに対する測定を開始するべきかどうかを判断でき、通信システム資源管理の負担を軽減させる。
【図面の簡単な説明】
【００２０】
【図１】本発明の実施形態に係る異周波数／異種システムセル再選択の測定開始方法のフローチャートである。
【図２】本発明の実施形態に係る異周波数／異種システムセル再選択の測定開始方法の実現フローチャートである。
【図３】本発明の実施形態に係るＵＥの構成構造概略図である。
【発明を実施するための形態】
【００２１】
以下、付図を参照して本発明の実施形態をさらに説明する。
図１は本発明の実施形態に係る異周波数／異種システムセル再選択の測定開始方法のフローチャートであり、図１に示すように、この方法は、以下のステップを含む。
【００２２】
ステップ１０１、現在のサービングセルの信号品質値を複数回取得し、Ｌ個の信号品質値を取得するまで、隣接異周波数／異種システムセル測定開始閾値以下の信号品質値を記憶する。
【００２３】
ここで、ＵＥに信号品質値を記憶する配列が予め設定され、配列の長さがＬであり、Ｌが任意の正整数である。
【００２４】
それに応じて、ＵＥが現在のサービングセルの受信パワー品質値Ｑｒｘｌｅｖｍｅａｓを測定し、システム放送メッセージを通じて現在のサービングセルに要求されるＵＥの最小受信パワー品質値ＱｒｘｌｅｖｍｉｎとＵＥが現在のサービングセルの所属する基地局のＲＡＣＨにアクセスする時に必要なパワー補償品質値Ｐｃｏｍｐｅｎｓａｔｉｏｎを受信し、そして式（１）、（２）で信号品質値Ｓｒｘｌｅｖを算出し、隣接異周波数／異種システムセル測定開始閾値Ｓｎｏｎ＿ｉｎｔｒａｓｅａｒｃｈ以下の信号品質値ＳｒｘｌｅｖをＵＥに設定された配列に記憶し、ＵＥにおける長さＬの配列がいっぱいになるまで、Ｌ個の信号品質値を得ることができる。
【００２５】
ステップ１０２、取得されたＬ個の前記信号品質値に基づいて、信号品質平均値を算出し、前記信号品質平均値が信号品質基準閾値より大きい場合、ＵＥが隣接異周波数／異種システムセルに対する測定を開始する。
【００２６】
好ましくは、ＵＥは、測定結果に応じてサービングセルを再選択することができる。
【００２７】
ここで、前記隣接異周波数／異種システムセル測定開始閾値Ｓｎｏｎ＿ｉｎｔｒａｓｅａｒｃｈと前記信号品質基準閾値Ｓｔｈｒｅｓｈは、いずれもシステム放送メッセージを通じてネットワーク側によってＵＥに伝送される。前記Ｓｎｏｎ＿ｉｎｔｒａｓｅａｒｃｈと前記Ｓｔｈｒｅｓｈは、いずれもネットワーク側配置パラメータであり、すべてネットワーク最適化により得られ、前記ネットワーク最適化は、実際の無線放送環境に応じて、常に通信ネットワークに対してプランニングとデバッギングを行って、良好な通信ネットワーク伝播環境を得る。
【００２８】
図２は本発明の実施形態に係る異周波数／異種システムセル再選択の測定開始方法の実現フローチャートであり、本実施形態では、モバイル通信システムを、主に端末側のＵＥとネットワーク側を含むものと見なすことができ、図２に示すように、この方法は、次のステップを含む。
【００２９】
ステップ２０１、ＵＥは、隣接異周波数／異種システムセル測定開始閾値と信号品質基準閾値を取得し、そして現在のサービングセルの受信パワー品質値Ｑｒｘｌｅｖｍｅａｓを測定し、最小受信パワー品質値Ｑｒｘｌｅｖｍｉｎとパワー補償品質値Ｐｃｏｍｐｅｎｓａｔｉｏｎを受信し、式（１）と式（２）に基づいて現在のサービングセルの信号品質値Ｓｒｘｌｅｖを算出する。
【００３０】
ここで、現在のサービングセルに要求されるＵＥの最小受信パワー品質値ＱｒｘｌｅｖｍｉｎとＵＥが現在のサービングセルの所属する基地局のＲＡＣＨにアクセスする時に必要なパワー補償品質値Ｐｃｏｍｐｅｎｓａｔｉｏｎがシステム放送メッセージを通じてＵＥに伝送される。
【００３１】
ステップ２０２、ＵＥは、算出された現在のサービングセル信号品質値Ｓｒｘｌｅｖを前記隣接セル測定開始閾値Ｓｎｏｎ＿ｉｎｔｒａｓｅａｒｃｈと比較し、前記Ｓｎｏｎ＿ｉｎｔｒａｓｅａｒｃｈ以下のＳｒｘｌｅｖを記憶する。
【００３２】
本実施形態において、ＵＥには、前記Ｓｎｏｎ＿ｉｎｔｒａｓｅａｒｃｈより小さい前記信号品質値Ｓｒｘｌｅｖを記憶するための長さＬの配列が予め設定される。
【００３３】
前記Ｓｒｘｌｅｖが前記Ｓｎｏｎ＿ｉｎｔｒａｓｅａｒｃｈより大きい場合、Ｓｒｘｌｅｖを前記ＵＥに設定された配列に記憶する必要がなく、この場合、現在のサービングセルのサービス品質が十分によいことを確定し、ＵＥが隣接異周波数／異種システムに対する測定を開始する必要がなく、ステップ２０１に戻る。
【００３４】
前記Ｓｒｘｌｅｖが前記Ｓｎｏｎ＿ｉｎｔｒａｓｅａｒｃｈ以下の場合、前記Ｓｒｘｌｅｖを前記配列に記憶し、その後ステップ２０３を実行する。
【００３５】
ステップ２０３、長さＬの配列がいっぱいに記憶されるまで、ステップ２０１とステップ２０２を繰り返して実行し、その後ステップ２０４を実行する。
【００３６】
ステップ２０４、前記配列に記憶されたＬ個の前記信号品質値Ｓｒｘｌｅｖを、式（３）の算出を行い、平均品質値Ｓｍｅａｎ＿ｒｘｌｅｖを算出する。
【数１】
0006047661.tif 000002
【００３７】
ステップ２０５、ＵＥは、算出された前記信号品質平均値Ｓｍｅａｎ＿ｒｘｌｅｖを信号品質基準閾値Ｓｔｈｒｅｓｈと比較する。
【００３８】
具体的には、前記Ｓｍｅａｎ＿ｒｘｌｅｖが前記Ｓｔｈｒｅｓｈより小さい場合、現在のサービングセル信号品質の変化量が前記信号品質基準閾値Ｓｔｈｒｅｓｈを超えていなく、現在の無線伝播環境がほとんど変化しなく、または、ＵＥが変位しないまたは小さく変位し、現在のサービングセルが信号品質の最もよいセルであることを意味し、ＵＥが隣接異周波数／異種システムセルに対する測定を開始する必要がなく、ステップ２０１に戻る。
【００３９】
前記Ｓｍｅａｎ＿ｒｘｌｅｖが前記Ｓｔｈｒｅｓｈより大きい場合、現在のサービングセル信号品質の変化量が信号品質基準閾値Ｓｔｈｒｅｓｈを超え、現在の無線伝播環境が変化し、またはＵＥが大きく変位することを意味し、この場合、ＵＥが隣接異周波数／異種システムセルに対する測定を開始し、ステップ２０６を実行する。
【００４０】
ステップ２０６、ステップ２０５における隣接異周波数／異種システムセルに対する測定結果がセル再選択基準に合致するかどうかを判断する。
【００４１】
本実施形態において、前記測定結果に含まれる測定量は、３ＧＰＰ通信プロトコル標準によって規定されている。前記測定量は、現在のサービングセルでの前記ＵＥの駐留時間、前記現在のサービングセルの前記受信パワー品質値Ｑｒｘｌｅｖｍｅａｓ、現在のサービングセルのヒステリシスＱｈｙｓｔ、隣接異周波数／異種システムセルの受信パワー品質値Ｑｒｘｌｅｖｍｅａｓ及び前記隣接異周波数／異種システムセルに対する現在のサービングセルのオフセットＱｏｆｆｓｅｔを含む。現在のサービングセルでの前記ＵＥの駐留時間がＴｒｅｓｅｌｅｃｔｉｏｎを超え、且つ前記現在のサービングセルのＱｒｘｌｅｖｍｅａｓと前記Ｑｈｙｓｔの和が前記隣接異周波数／異種システムセルＱｒｘｌｅｖｍｅａｓと前記Ｑｏｆｆｓｅｔの差より小さく、且つＴｒｅｓｅｌｅｃｔｉｏｎ時間持続すると、セル再選択基準を満たすことを確定し、現在のサービングセルから前記隣接異周波数／異種システムセルへの切り替えを行うことができ、同時に、長さＬの配列における全ての値をクリアする。測定結果がセル再選択基準を満たさない場合、同様に、長さＬの配列における全ての値をクリアし、ステップ２０１に戻り、判断し続ける。
【００４２】
ここで、前記Ｔｒｅｓｅｌｅｃｔｉｏｎは、セル再選択の場合、隣接異周波数／異種システムセル品質と現在のサービングセル品質に対する評価時間である。前記セル再選択基準、及び判断測定結果がセル再選択基準を満たすかどうかは、全て３ＧＰＰの通信プロトコル標準を参照する。
【００４３】
上記方法を実現するために、本発明の実施形態は、さらにＵＥを提供し、図３に示すように、前記ＵＥは、処理モジュール３１と制御モジュール３２を含み、その中、
前記処理モジュール３１が現在のサービングセルの信号品質値を複数回取得し、Ｌ個の信号品質値を取得するまで、隣接異周波数／異種システムセル測定開始閾値以下の信号品質値を記憶するように配置され、
前記制御モジュール３２が取得されたＬ個の前記信号品質値に基づいて、信号品質平均値を算出し、前記信号品質平均値が信号品質基準閾値より大きい場合、ＵＥが隣接異周波数／異種システムセルに対する測定を開始するように配置されている。
【００４４】
好ましくは、前記制御モジュール３２は、さらに、測定結果に応じて、ＵＥがサービングセルを再選択することを制御するように配置されている。
前記処理モジュール３１は、さらに、隣接異周波数／異種システムセル測定開始閾値と信号品質基準閾値を取得するように配置されている。
【００４５】
前記処理モジュール３１は、取得サブモジュール３１１及び記憶サブモジュール３１２を含み、その中、
前記取得サブモジュール３１１が現在のサービングセルの信号品質値を取得し、Ｌ個の信号品質値が記憶されているかどうかを判断するように配置され、
ここで、現在のサービングセルの信号品質値を取得することは、測定された受信パワー品質値に基づいて現在のサービングセルの信号品質値を得ることである。
【００４６】
前記記憶サブモジュール３１２は、隣接異周波数／異種システムセル測定開始閾値と信号品質基準閾値を記憶し、前記隣接異周波数／異種システムセル測定開始閾値以下の前記信号品質値を記憶するように配置されている。
【００４７】
好ましくは、前記制御モジュール３２は、比較サブモジュール３２１及びセル測定起動サブモジュール３２２を含み、その中、
前記比較サブモジュール３２１が取得されたＬ個の信号品質値に基づいて、信号品質平均値を算出し、前記信号品質平均値と前記信号品質基準閾値を比較するように配置され、
前記セル測定起動サブモジュール３２２が、前記信号品質平均値が前記信号品質基準閾値より大きい場合、隣接異周波数／異種システムセルに対する測定を開始するように配置されている。
【００４８】
好ましくは、前記制御モジュール３２は、測定結果に応じてサービングセルの再選択を行うように配置されているセル再選択サブモジュール３２３をさらに含む。
【００４９】
具体的には、前記ＵＥは、ネットワーク側からの隣接異周波数／異種システムセル測定開始閾値Ｓｎｏｎ＿ｉｎｔｒａｓｅａｒｃｈと信号品質基準閾値Ｓｒｘｌｅｖを受信し、前記記憶サブモジュール３１２に記憶し、同時に、前記記憶サブモジュール３１２に長さＬの配列が設定されている。前記取得サブモジュール３１１は、前記方法中の式（１）と式（２）に基づいて前記ＵＥにより測定された現在の受信パワー品質値Ｑｒｘｌｅｖｍｅａｓを算出し、現在の信号品質値Ｓｒｘｌｅｖを取得する。その後、前記取得サブモジュール３１１は、算出された現在の信号品質値Ｓｒｘｌｅｖを前記隣接セル測定開始閾値Ｓｎｏｎ＿ｉｎｔｒａｓｅａｒｃｈと比較する。前記現在のＳｒｘｌｅｖが前記Ｓｎｏｎ＿ｉｎｔｒａｓｅａｒｃｈ以下の場合、前記現在信号品質値Ｓｒｘｌｅｖを長さＬの配列に記憶する。前記取得サブモジュール３１１は、前記配列がいっぱいに記憶されるかどうかを判断し、前記配列がいっぱいに記憶される場合、即ち前記配列に記憶された前記信号品質値ＳｒｘｌｅｖがＬ個未満である場合、前記取得サブモジュール３１１は、前記配列がいっぱいに記憶されるまで、上記の算出、比較、記憶処理を順次行う。
【００５０】
前記配列がいっぱいに記憶される場合、前記比較サブモジュール３２１は、前記配列に記憶されたＬ個の前記信号品質値Ｓｒｘｌｅｖを、式（３）の算出を行い、信号品質平均値Ｓｍｅａｎ＿ｒｘｌｅｖを取得し、そして前記Ｓｍｅａｎ＿ｒｘｌｅｖを前記記憶サブモジュール３１２に記憶された前記信号品質基準閾値Ｓｔｈｒｅｓｈと比較する。前記Ｓｍｅａｎ＿ｒｘｌｅｖがＳｔｈｒｅｓｈより大きい場合、前記セル測定起動モジュール３２２は、前記ＵＥが隣接異周波数／異種システムセルに対する測定を開始することを通知し、前記ＵＥは、隣接異周波数／異種システムセルを測定する。
【００５１】
好ましくは、前記セル再選択サブモジュール３２３は、前記ＵＥにより取得された測定結果がセル再選択基準に合致するかどうかを判断し、前記測定結果が前記セル再選択基準に合致する場合、前記セル再選択サブモジュール３２３は、サービングセルの再選択を行う。その中、前記測定結果に含まれる測定量と前記セル再選択基準は、全て３ＧＰＰに規定された通信プロトコル標準に合致する。
【００５２】
本発明の実施形態に記載される技術的スキームは、３Ｇに加えて、第二世代デジタル通信技術（２Ｇ：Ｔｈｅ  Ｓｅｃｏｎｄ  Ｇｅｎｅｒａｔｉｏｎ）と第四世代デジタル通信技術（４Ｇ：Ｔｈｅ  Ｆｏｒｔｈ  Ｇｅｎｅｒａｔｉｏｎ）に応用されることができる。
【００５３】
以上をまとめると、本発明の実施形態に係る異周波数／異種システムセル再選択の測定開始方法及びＵＥでは、現在のサービングセルの信号品質値を複数回取得し、Ｌ個の信号品質値を取得するまで、異周波数／異種システムセル測定開始閾値以下の信号品質値を記憶し、取得されたＬ個の前記信号品質値に基づいて、信号品質平均値を算出し、前記信号品質平均値が信号品質基準閾値より大きい場合、ＵＥが異周波数／異種システムセルに対する測定を開始する。測定された信号品質値が隣接セル測定開始閾値より大きい、または信号品質平均値が信号品質基準閾値より小さい場合、ＵＥは、隣接異周波数／異種システムセルに対する測定を開始せず、測定の信号品質値が隣接セル測定開始閾値より小さく、かつ、信号品質平均値が信号品質基準閾値より大きい場合、ＵＥは、隣接異周波数／異種システムセルに対する測定を開始する。本発明の技術的スキームを利用して、ＵＥが隣接異周波数／異種システムセルに対する検索と測定を頻繁に開始する頻度を下げ、根本的にＵＥの電気量を節約する。
【００５４】
以上は、本発明の好適な実施形態に過ぎなく、本発明の保護範囲を制限することに用いられるものではない。
【図１】
0006047661.tif 000003
【図２】
0006047661.tif 000004
【図３】
0006047661.tif 000005